(57)【要約】      （修正有）【課題】左ページが説明欄、右ページが記載欄となっているため、記載が容易であり、自分の気持ちを家族へ伝えることができるエンディングノートを提供する。【解決手段】本考案のエンディングノート１は、見開きの左ページに設けられる説明欄２と、見開きの右ページに設けられる複写式の第１の記載欄３が備えられている。左ページの説明欄は、記載テーマの部分２１、記載ポイントの部分２２、説明部分２３で構成される。右ページの第１の記載欄は、伝言欄４が設けられ、この伝言欄は、気持ちの選択部分３１と、理由・想いの記載部分３２で構成されている。【選択図】図１
0003232806.tif 000002
【実用新案登録請求の範囲】
【請求項１】
見開きの左ページに設けられる説明欄と、前記見開きの右ページに設けられる第１の記載欄を備えることを特徴とするエンディングノート。
【請求項２】
前記第１の記載欄は、複写式であることを特徴とする請求項１に記載のエンディングノート。
【請求項３】
前記第１の記載欄は、家族へ向けられた伝言欄が設けられていることを特徴とする請求項１又は請求項２に記載のエンディングノート。
【請求項４】
前記右ページに、第２の記載欄を備え、前記第２の記載欄は、名簿・連絡網欄であることを特徴とする請求項１乃至請求項３のいずれか１項に記載のエンディングノート。
【請求項５】
前記名簿・連絡網欄は、前記エンディングノートの所有者の氏名と、前記所有者の家族の氏名と、その連絡先と、続柄関係が記載されることを特徴とする請求項４に記載のエンディングノート。
【考案の詳細な説明】
【技術分野】
【０００１】  本考案は、エンディングノートの所有者が自分の人生に関することを、自分の本心、家族への想いを整理し、家族と共有するためのエンディングノートに関する。
【背景技術】
【０００２】  近年、人生の気持ちを整理するエンディングノートが使い始められているが、十分に活用できていない状況である。これは、エンディングノートは多くの人たちが持っているが、書き方がわからないため、記載されていない状況である。
また、高齢化が進み認知症が増え、ノートを紛失してしまう状況も考えられる。その場合、本来の目的である自分の気持ち、想いが伝えられないという問題が生じる。
この様な問題を解決するために、既に、特許文献１、２に考案されたエンディングノートがある。
【先行技術文献】
【０００３】
【特許文献１】特開２０１５−７４１０１号公報
【特許文献２】実用新案登録第３２０５０３６号公報
【考案の概要】
【考案が解決しようとする課題】
【０００４】  今までのエンディングノート、例えば、特許文献１、２で開示されたエンディングノートにおいても、説明や記載欄に不備があり、記載することが難しく、エンディングノートを持っていても記載されることなく、活用されていない状況である。また、紛失などにより、自分の気持ちを家族へ伝えることが出来ない状況である。そこで、これら課題を解決するためのエンディングノートを提供することを目的とする。
【課題を解決するための手段】
【０００５】  請求項１のエンディングノートは、見開きの左ページに設けられる説明欄と、右ページに設けられる第１の記載欄を備えることを特徴とする。この様な構成のエンディングノートは、左ページが説明欄、右ページが記載欄となっているため、記載が容易である。【０００６】  請求項２のエンディングノートは、請求項１のエンディングノートにおいて、第１の記載欄は複写式であることを特徴とする。この様な構成のエンディングノートは、請求項１に記載のエンディングノートの作用に加えて、複写式とすることで、第１の記載欄の一方を切り離した時に、同じものが２冊できる。【０００７】  請求項３のエンディングノートは、請求項１又は請求項２のエンディングノートにおいて、第１の記載欄は、家族へ向けられた伝言欄が設けられていることを特徴とする。この様な構成のエンディングノートは、請求項１又は請求項２に記載のエンディングノートの作用に加えて、伝言欄に、自分の気持ちや、家族への想いや、その理由を書くことができる。【０００８】  請求項４のエンディングノートは、請求項１又は請求項２において、右ページに第２の記載欄を備える。第２の記載欄は、名簿・連絡網欄であることを特徴とする。請求項１又は請求項２において、この様な構成のエンディングノートは、名簿・連絡網を一体化したことで、一目で分かり易い。【０００９】  請求項５のエンディングノートは、請求項１又は請求項２において、請求項４に記載の名簿・連絡網欄は、エンディングノートの所有者の氏名と、所有者の家族の氏名と、その連絡先と、続柄関係が記載されることを特徴とする。この様な構成のエンディングノートは、連絡先、関係が記載されていることで、緊急事態時など本人以外の人でも慌てずに連絡先を確認することができる。
【考案の効果】
【００１０】  請求項１のエンディングノートでは、見開きの左ページの説明欄と、右ページの第１の記載欄で構成され、一人でも記載内容についての説明ページを読みながら書くことができるので記載が容易である。又、自分の想いを整理することができる。
請求項２のエンディングノートでは、複写式にすることで、第１の記載欄の一方を家族等に渡しておくことが可能で、紛失等の場合でも、いつ何時緊急事態が起こったとしても、自分の想いの実現に繋げることができる。
請求項３のエンディングノートでは、家族へ向けられた伝言欄が設けられており、伝言欄に、家族への想いや、その理由を書くことができる。又、自分の想いを整理することができ、なぜ、そう思ったかを書くことができる。さらに、自分の想いについて整理、まとめることができる。従って、自分の想いや理由を家族へ伝えることができる。
請求項４、５のエンディングノートでは、連絡先、続柄関係が記載されているので、緊急事態時など本人以外の人でも慌てずに連絡先を確認することができる。
【図面の簡単な説明】
【００１１】
【図１】説明欄と記載欄を備えた見開きページの図である。
【図２】名簿・連絡網ページの図である。
【考案を実施するための形態】
【００１２】  本考案に関するエンディングノートを図面に基づいて説明する。図１、２に本考案の実施形態を示す。
【００１３】  図１は、本考案のエンディングノートの、説明欄と記載欄を備えた見開きページの図である。図１に示すように、エンディングノート１は、見開きの左ページに設けられる説明欄２と、見開きの右ページに設けられる第１の記載欄３を備えている。第１の記載欄３は、複写式である。第１の記載欄３は、家族へ向けられた伝言欄４が設けられている。
ここで、見開きの左ページに設けられる説明欄２は、記載テーマの部分２１、記載ポイントの部分２２、説明部分２３、で構成される。見開きの右ページに設けられる第１の記載欄３は、家族へ向けられた伝言欄４は、気持ちの選択部分３１と、理由・想いの記載部分３２で構成される。
【００１４】  図２は、名簿・連絡網ページの図である。エンディングノート１は、第１の記載欄に加え、右ページに第２の記載欄５を備える。第２の記載欄５は、名簿・連絡網６である。名簿・連絡網欄６は、エンディングノートの所有者の氏名５１、所有者の家族の氏名５２、その連絡先５３、本人と家族の続柄関係５４、を記載できるようになっている。このページも複写式となっており、緊急事態時など本人以外の人でも、慌てることなく連絡先を確認できる。
説明欄２を講座形式としたことで、記載内容が理解し易い。第１の記載欄３は、複写式であり、同じものが２冊でき、家族と想いが共有できる。家族へ向けられた伝言欄４が設けられ、自分の意思・理由・想いを記載することができるので、より信頼できる内容となる。
【００１５】  本考案のエンディングノートは、「ありがとうノート」と称し、「書けるノート」である。「最期にありがとうと言える生き方をすること」で家族への負担をなくすことに繋がる。
【産業上の利用可能性】
【００１６】  本考案は家族と共有するエンディングノートとして利用可能である。
【符号の説明】
【００１７】１  エンディングノート
２  説明欄    ３  第１の記載欄    ４  伝言欄
５  第２の記載欄    ６  名簿・連絡網欄
２１  記載テーマの部分    ２２  記載ポイントの部分
２３  説明部分
３１  気持ちの選択部分
３２  理由・想いの記載部分
５１  エンディングノートの所有者の氏名    ５２  所有者の家族の氏名
５３  その連絡先    ５４  続柄関係
【図１】
0003232806.tif 000003
【図２】
0003232806.tif 000004